(57)【要約】【課題】  オリジナルの伸長性を有する環状の髪止め具を簡便に作製できる製造装置、前記髪止め具の製造装置と、髪止め具の材料とからなる髪止め具の製造装置セット、環状の髪止め具の製造方法を提供する。【解決手段】  紐状伸長体を環状にして周囲に糸状体を巻いた髪止め具を製造する装置であって、前記装置は、台座４上に、紐状伸長体の両端を固定する固定部３を備えた回転可能な柱状体２と、前記柱状体を回転させる操作体５とを設けてなる髪止め具の製造装置１、前記髪止め具の製造装置１と、紐状の伸長体と、糸状体とからなる髪止め具の製造装置セット、環状の髪止め具の製造方法。【選択図】  図１
2012090910.tif 000002
【特許請求の範囲】
【請求項１】
紐状伸長体を環状にして周囲に糸状体を巻いた髪止め具を製造する装置であって、前記装置は、台座上に、紐状伸長体の両端を固定する固定部を備えた回転可能な柱状体と、前記柱状体を回転させる操作体とを設けてなる髪止め具の製造装置。
【請求項２】
前記柱状体が台座から横方向に立設してなる請求項１記載の髪止め具の製造装置。
【請求項３】
前記台座上に、糸状体を巻き付けるボビンを設けてなる請求項１又は２記載の髪止め具の製造装置。
【請求項４】
前記ボビンが台座から着脱自在に構成してなる請求項３記載の髪止め具の製造装置。
【請求項５】
前記柱状体とボビンの間に柱状体の回転と連動して柱状体の一端から他端に向けて移動可能な糸ガイド部材を設けてなる請求項３又は４記載の髪止め具の製造装置。
【請求項６】
前記柱状体は、縦方向に溝を形成した柱状体である請求項１乃至５のいずれか一項に記載の髪止め具の製造装置。
【請求項７】
請求項１乃至６のいずれか一項に記載の髪止め具の製造装置と、紐状の伸長体と、糸状体とからなる髪止め具の製造装置セット。
【請求項８】
前記紐状伸長体の両端に、対をなす係脱部材を設けてなる請求項７記載の髪止め具の製造装置セット。
【請求項９】
紐状伸長体を環状にして周囲に糸状体を巻いた髪止め具の製造方法であって、柱状体に紐状伸長体の両端を固定し、前記柱状体及び紐状伸長体に糸状体を巻き、紐状伸長体の両端同士を係合し、前記紐状伸長体及び糸状体を柱状体から取り外す髪止め具の製造方法。
【発明の詳細な説明】
【技術分野】
【０００１】
本発明は、髪止め具の製造装置、髪止め具の製造装置セット、髪止め具の製造方法に関する。更に詳細には、簡便に髪止め具を作製できる製造装置、髪止め具の製造装置セット、髪止め具の製造方法に関する。
【背景技術】
【０００２】
近年、小学生や中学生の間では、独自のアクセサリーを身に付けて個性を際立たせたり、独自のアクセサリーを友達と交換する傾向にある。
そのためには、他人とは異なるアクセサリーが必要であるが、必ずしも自分好みのアクセサリーが売られているとは限らず、自分が独自に作製したオリジナルのアクセサリーが必要になる。
しかしながら、独自のアクセサリーを作製することは容易なものではない。
【先行技術文献】
【特許文献】
【０００３】
【特許文献１】特開２００４−４１３０９号公報
【発明の概要】
【発明が解決しようとする課題】
【０００４】
本発明は、オリジナルのアクセサリーとして、糸状体を巻いた伸長性を有する環状の髪止め具を簡便に作製できる髪止め具製造装置、髪止め具の製造装置セット、髪止め具の製造方法を提供するものである。
【課題を解決するための手段】
【０００５】
本発明は、紐状伸長体を環状にして周囲に糸状体を巻いた髪止め具を製造する装置であって、前記装置は、台座上に、紐状伸長体の両端を固定する固定部を備えた回転可能な柱状体と、前記柱状体を回転させる操作体とを設けてなる髪止め具の製造装置を要件とする。
更には、前記柱状体が台座から横方向に立設してなること、前記台座上に、糸状体を巻き付けるボビンを設けてなること、前記ボビンが台座から着脱自在に構成してなること、前記柱状体とボビンの間に柱状体の回転と連動して柱状体の一端から他端に向けて移動可能な糸ガイド部材を設けてなること、前記柱状体は、縦方向に溝を形成した柱状体である
こと等を要件とする。
更には、前記髪止め具の製造装置と、紐状の伸長体と、糸状体とからなる髪止め具の製造装置セットを要件とする。
更には、前記紐状伸長体の両端に、対をなす係脱部材を設けてなることを要件とする。
更には、紐状伸長体を環状にして周囲に糸状体を巻いた髪止め具の製造方法であって、柱状体に紐状伸長体の両端を固定し、前記柱状体及び紐状伸長体に糸状体を巻き、紐状伸長体の両端同士を係合し、前記紐状伸長体及び糸状体を柱状体から取り外す髪止め具の製造方法を要件とする。
【発明の効果】
【０００６】
オリジナルの糸状体を巻いた伸長性を有する環状の髪止め具を簡便に作製できる製造装置、髪止め具の製造装置セット、髪止め具の製造方法を提供できる。
【図面の簡単な説明】
【０００７】
【図１】本発明髪止め具の製造装置の一実施例の説明図である。
【図２】図１の髪止め具の製造装置に紐状伸長体をセットした状態を示す説明図である。
【図３】図１の髪止め具の製造装置に紐状伸長体と糸状体をセットした状態を示す説明図である。
【図４】図１の髪止め具の製造装置により作製した髪留め具を示す説明図である。
【図５】本発明髪止め具の製造装置の他の実施例の説明図である。
【図６】図５の髪止め具の製造装置に紐状伸長体をセットした状態を示す説明図である。
【図７】図５の髪止め具の製造装置に紐状伸長体と糸状体をセットした状態を示す説明図である。
【図８】図５の髪止め具の製造装置により作製した髪留め具を示す説明図である。
【図９】本発明髪止め具の製造装置の他の実施例の説明図である。
【図１０】図９の髪止め具の製造装置に紐状伸長体をセットした状態を示す説明図である。
【図１１】図９の髪止め具の製造装置に紐状伸長体と糸状体をセットした状態を示す説明図である。
【図１２】図９の髪止め具の製造装置により作製した髪留め具を示す説明図である。
【図１３】本発明髪止め具の製造装置の他の実施例の説明図である。
【図１４】図１３の髪止め具の製造装置に紐状伸長体をセットした状態を示す説明図である。
【図１５】図１３の髪止め具の製造装置に紐状伸長体と糸状体をセットした状態を示す説明図である。
【図１６】図１３の髪止め具の製造装置により作製した髪留め具を示す説明図である。
【発明を実施するための形態】
【０００８】
前記柱状体は、紐状伸長体の両端部を固定する固定部を備える。
前記固定部は柱状体の一端及び他端に設ける他、一端と中央部、中央部と他端に設ける構成であってもよい。
柱状体の形状は特に限定されるものではなく、円柱形状、角柱形状が挙げられる。
また、前記柱状体は直線形の他、くの字状等の非直線形や半円状の曲線形であってもよい。
前記柱状体の一端及び他端に設けられる固定部は、紐状伸長体の両端を固定する機能を備えていれば特に限定されるものではなく、前記紐状伸長体の両端に環状部が設けられている場合は、該環状部を引っ掛けることのできる一つの突起を設けたり、紐状伸長体の両端に係脱部材が設けられている場合は、該係脱部材を引っ掛けることのできる二つの突起を設けたり、紐状伸長体の両端を挟み込むクリップを設けることができる。
更に、縦方向（長手方向）に切り溝を形成した柱状体や、内部を中空にして縦方向（長手方向）に溝を形成した柱状体を用いることにより、紐状伸長体を柱状体にセットした後、糸状体を柱状体に巻き付ける際、突起やクリップが引っかかることなく、スムーズに巻くことができ、しかも、糸状体を巻き付けた紐状伸長体を柱状体から容易に取り外すことができる。
なお、前記柱状体の周囲には、移動可能なスライド部材を設けることにより、紐状伸長体を取り付けた柱状体に糸状体を巻き付けて髪止め具を作製した後、スライド部材を移動させることにより前記糸状体を柱状体から簡便に引き抜くことができる。
【０００９】
前記柱状体は、紐状伸長体の両端を係合させたり、糸状体を巻きつける際に、安定して作業できるようにするため、台座に設けられる。
前記柱状体は、台座上から横方向に設けられてなり、糸状体を簡易に巻き付けることができるが、本発明はこれに限らず、柱状体が台座から上方向、下方向、或いは、斜め方向に設けられた構成であってもよい。
前記柱状体は、台座と着脱可能に構成したり、伸縮可能に構成することによって、簡便に収納や持ち運びを行うことができる。
前記台座の形状や大きさは特に限定されるものではない。
また、前記台座は机や床に載置する大きさ、形状に限らず、背面に吸盤や磁石を配置して壁面に取り付けられるようにしてもよい。
前記柱状体は軸に対して垂直方向に回転可能であり、前記柱状体を回転させる操作体を設けてなる
【００１０】
前記台座上には、柱状体と紐状伸長体の周囲に巻きつける糸状体を供給するボビンを設けることが好ましく、前記ボビンは台座上に回転自在に取り付けられる。
なお、前記ボビンは糸状体を巻き付けた状態で使用される。
また、前記ボビンを台座から着脱自在に構成することにより、簡便に糸状体の補充を可能とすることができると共に、異なる糸状体を巻き付けた複数のボビンを用意して、簡便且つ迅速に様々な髪止め具を作製することができる。
【００１１】
前記台座上にボビンを設ける場合、柱状体とボビンの間に柱状体の回転と連動して柱状体の一端から他端に向けて移動可能な糸ガイド部材を設けることが好ましく、柱状体と紐状伸長体の周囲に糸状体を均等に巻き付けることができるため、見栄えのよい髪止め具を作製することができる。
【００１２】
前記髪止め具の製造装置によって作製される髪止め具は、環状の紐状伸長体周囲に糸状体を巻き付けたものであり、毛髪全体をまとめてポニーテールやお下げにするか、或いは毛髪の一部をポニーテールやお下げにするための髪止め具であって、毛髪に巻き付け、これらの毛髪を適所に保持する。
前記紐状伸長体は、伸長体（ゴム紐）からなり、両端に環状部を設けた構成、対をなす係脱部材を設けた構成が挙げられる。
前記伸長体は、ゴム紐の表面に何も被覆していない構成の他、糸を編んで伸縮自在とした外装生地でゴム紐表面を覆ったものであってもよい。
伸長体の両端に係脱部材を設ける場合、簡易な操作により嵌め合わせたり、取り外したりすることのできるものが好ましく、対をなす一方の係脱部材（筒体）の外周に突起を設け、他方の係脱部材（筒体）の孔に嵌まり込むようにした構成、対をなす一方の係脱部材（筒体）の外周と、他方の係脱部材（筒体）の内周にネジ山を設けて螺合するようにした構成、対をなす一方の係脱部材（筒体）の外周と、他方の係脱部材（筒体）の内周に環状の突起を設けて乗り越え嵌合する構成、磁石や面ファスナーを用いた構成等が挙げられる。
なお、前記係脱部材の一方又は両方には、環状部或いはかぎ爪状等の突起部を表面に設け、アセセサリー部材を前記環状部或いは突起部に連結してアクセサリーを内蔵した髪止め具を作製することもできる。
【００１３】
前記糸状体は、環状の紐状伸長体周囲に巻き付けるものであり、材質は特に限定されるものではなく、綿糸、絹糸、麻糸、毛糸等の天然繊維、ポリエステルやナイロン等の化学繊維が用いられる。また、混紡糸や混撚糸、ラメ糸、モール糸を用いることもできる。
前記糸状体は、サーモクロミック材料、フォトクロミック材料、蓄光性材料を含む糸であったり、糸状体表面に温度変化により色変化するサーモクロミック材料、光照射により色変化するフォトクロミック材料、蓄光性材料を含む層を設けた糸であってもよい。
前記サーモクロミック材料としては、液晶、Ａｇ２ＨｇＩ４、Ｃｕ２ＨｇＩ４、電子供与性呈色性有機化合物と、電子受容性化合物と、前記両者の呈色反応を可逆的に生起させる有機化合物媒体との三成分を含む可逆熱変色性組成物が用いられる。
前記電子供与性呈色性有機化合物と、電子受容性化合物と、前記両者の呈色反応を可逆的に生起させる有機化合物媒体との三成分を含む可逆熱変色性組成物としては、特公昭５１−４４７０６号公報、特公昭５１−４４７０７号公報、特公平１−２９３９８号公報、特公平４−１７１５４号公報、特開平７−１７９７７７号公報、特開平７−３３９９７号公報、特開平８−３９９３６号公報等に記載された加熱消色型の可逆熱変色性組成物、特公昭５１−４４７０６号公報、特開平１１−５９７３号公報、特開平１１−１２９６２３号公報、特開２００１−１０５７３２号公報、特開２００３−２５３１４９号公報に記載された加熱発色型の可逆熱変色性組成物が挙げられる。
前記可逆熱変色性組成物は、そのままの適用でも有効であるが、マイクロカプセルに内包したマイクロカプセル顔料として使用することが好ましく、種々の使用条件において可逆熱変色性組成物は同一の組成に保たれ、同一の作用効果を奏することができる。
前記マイクロカプセルに内包させることにより、化学的、物理的に安定な顔料を構成でき、平均粒子径０．１〜５０μｍ、好ましくは０．５〜３０μｍ、より好ましくは１〜２０μｍの範囲が実用性を満たす。
なお、粒子径、粒度分布の測定はレーザ回折／散乱式粒子径分布測定装置〔（株）堀場製作所製；ＬＡ−３００〕を用いて測定し、その数値を基に平均粒子径（メジアン径）を算出する。
マイクロカプセル化は、従来より公知の界面重合法、ｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。
【００１４】
前記フォトクロミック材料としては、スピロピラン系誘導体、フルギド系誘導体、ジヒドロピレン系誘導体、インジゴ系誘導体、アジリジン、多環芳香族系誘導体、アゾベンゼン系誘導体、サリチリデンアニリン系誘導体、キサンテン系誘導体、スピロオキサジン系誘導体、ジアリールエテン系誘導体、ナフトピラン系誘導体、ナフトオキサジン系誘導体等のフォトクロミック化合物が用いられる。
前記フォトクロミック化合物はスチレン系オリゴマーに溶解して用いることが好ましく、スチレン系オリゴマーは重量平均分子量が２００乃至６０００、好ましくは２００乃至４０００のものが用いられる。
スチレン系オリゴマーの重量平均分子量が２００未満の場合、含有モノマーが多くなり、安定性に欠けるため耐光性向上効果を発現し難くなる。
また、重量平均分子量が６０００を越えると、光照射により色残りが発生し、且つ、発色濃度が低くなり、変色感度は鈍くなる。
なお、重量平均分子量は、ＧＰＣ法（ゲル浸透クロマトグラフ法）により測定する。
前記スチレン系オリゴマーとしては、低分子量ポリスチレン、スチレン−α−メチルスチレン系共重合体、α−メチルスチレン重合体、α−メチルスチレンとビニルトルエンの共重合体等が挙げられる。
【００１５】
前記蓄光性材料としては、ＣａＳ／Ｂｉ系、ＣａＳｒＳ／Ｂｉ系、ＺｎＳ／Ｃｕ系、ＺｎＣｄＳ／Ｃｕ系、特開平７−１１２５０号公報に開示されているＳｒＡｌ２Ｏ４、Ｓｒ４Ａｌ１４Ｏ２５、或いは、ＣａＡｌ２Ｏ４にユウロピウム、ジスプロシウム、サマリウム等を賦活剤として添加したもの、特開平１０−１６８４４８号公報に開示されているＳｒ（ＡｌＢ）２Ｏ４；ＥｕＤｙ、Ｓｒ（ＡｌＢ）３Ｏ６；ＥｕＤｙ、或いはＳｒ（ＡｌＢ）４Ｏ７；ＥｕＤｙ等の蓄光性顔料が用いられる。
【００１６】
更に、糸状体は水が付着することにより色変化する構成であってもよく、表面に低屈折率顔料とバインダー樹脂を含み、水を吸液した状態と吸液しない状態で透明性を異にする多孔質層を設けることもできる。
前記多孔質層は、低屈折率顔料をバインダー樹脂と共に分散状態に固着させた層であり、乾燥状態と吸液状態で透明性が異なる層である。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、水を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
又、前記低屈折率顔料は２種以上を併用することもできる。
前記低屈折率顔料はバインダー樹脂を結合剤として含むビヒクル中に分散され、支持体に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
なお、前記糸状体が光透過性を有する材料により構成される場合は、前記紐状伸長体にサーモクロミック性、フォトクロミック性、蓄光性を付与することもでき、サーモクロミック材料、フォトクロミック材料、蓄光性材料を含むインキ、塗料を用いて紐状伸長体表面に層を設けたり、前記インキ、塗料に紐状伸長体を浸漬したり、サーモクロミック材料、フォトクロミック材料、蓄光性材料を含む樹脂を成形して紐状伸長体を形成することができる。
【００１７】
前記糸状体表面には筆記具やスタンプ具を用いて所望の筆跡や印像を形成することもできる。
また、糸状体表面にステンシルシートを載置して筆記したり、スプレーインキを噴霧して像を形成することもできる。
更に、前記サーモクロミック材料、フォトクロミック材料を含むインキ、蓄光性材料を含むインキを収容した筆記具やスタンプ具を用いて、糸状体表面に所望の筆跡や印像を形成することもできる。
なお、前記糸状体は複数の糸を巻き付けたり、前記糸状体と共にリング状のアクセサリーを併用することによって、より変化性に富み、独創的な髪止め具を作製することができる。
【００１８】
前記髪止め具の製造装置と、紐状の伸長体と、糸状体とを組み合わせて髪止め具の製造装置セットを得ることができる。
また、紐状の伸長体を別途調達できる場合は、髪止め具の製造装置と、伸長体を固定することのできる対をなす係脱部材と、糸状体とを組み合わせて髪止め具の製造装置セットを得ることもできる。
前記伸長体を固定することのできる対をなす係脱部材は、使用者が自ら用意した伸長体の両端に係脱部材を固定して実用に供する。
【００１９】
前記髪止め具は、柱状体に紐状伸長体の両端を固定し、前記柱状体及び紐状伸長体に糸状体を巻き付け、紐状伸長体の両端同士を係合し、前記紐状伸長体及び糸状体を柱状体から取り外すことによって製造される。
【実施例】
【００２０】
実施例１（図１乃至図４参照）
左端と右端に固定部３（突起）を設けた円柱形状の柱状体２を、台座４上から横方向に立設した。
前記台座には、操作体５を設けてなり、操作体を動かすことにより柱状体が回転するよう構成してなる。
前記のようにして髪止め具の製造装置１を得た（図１参照）
【００２１】
前記髪止め具の製造装置の固定部に、環状部を両端に設けた紐状伸長体６をセットした（図２参照）。
次いで、糸状体の一端を紐状伸長体に結び付けた後、操作体を操作して柱状体を回転させることにより、前記柱状体及び紐状伸長体に糸状体７を巻き付けた（図３参照)。
更に、紐状伸長体の一端の環状部を固定部から取り外し、他端の環状部に重ね合わせて止め具８で固定した。
前記紐状伸長体を柱状体から引き抜くことにより、糸状体を巻いた伸長性を有する環状の髪止め具９を製造することができた（図４参照）。
なお、前記髪止め具は手首に着けたり、鞄につけてアクセサリーとして用いることもできる。
【００２２】
実施例２
実施例１と同様の髪止め具の製造装置と、複数の紐状伸長体と、複数の色が異なる糸状体を組み合わせて髪止め具の製造装置セットを得た。
前記髪止め具の製造装置セットは、実施例１と同様の操作により種々の髪止め具を作製することができた。
【００２３】
実施例３（図５乃至図８参照）
縦方向に切り溝を設けて一端に固定部（孔）３を設けた柱状体２を、台座４上から横方向に立設した。
前記台座には、操作体５を設けてなり、操作体を動かすことにより柱状体が回転するよう構成してなる。
前記のようにして髪止め具の製造装置１を得た（図５参照）
【００２４】
前記髪止め具の製造装置の固定部に、係脱部材６１を両端に設けた紐状伸長体６をセットした（図６参照）。
次いで、糸状体の一端を紐状伸長体に結び付けた後、操作体を操作して柱状体を回転させることにより、前記柱状体及び紐状伸長体に糸状体７を巻き付けた（図７参照)。
更に、紐状伸長体の一端の係脱部材を固定部から取り外し、他端の係脱部材と嵌合した。
前記紐状伸長体を柱状体から引き抜くことにより、糸状体を巻いた伸長性を有する環状の髪止め具９を製造することができた（図８参照）。
なお、前記髪止め具は手首に着けたり、鞄につけてアクセサリーとして用いることもできる。
【００２５】
実施例４
実施例３と同様の髪止め具の製造装置と、両端に係脱部材を設けた複数の紐状伸長体と、複数の色が異なる糸状体を組み合わせて髪止め具の製造装置セットを得た。
前記髪止め具の製造装置セットは、実施例３と同様の操作により種々の髪止め具を作製することができた。
【００２６】
実施例５（図９乃至図１２参照）
縦方向に切り溝を設けて両端に固定部（孔）３を設けた柱状体２を、台座４上から横方向に立設した。
前記台座には、操作体５を設けてなり、操作体を動かすことにより柱状体が回転するよう構成してなる。
前記台座には、糸を巻いた着脱自在のボビン１０を設けてなる。
前記のようにして髪止め具の製造装置１を得た（図９参照）
【００２７】
前記髪止め具の製造装置の固定部に、係脱部材６１を両端に設けた紐状伸長体６をセットした（図１０参照）。
次いで、糸状体の一端を紐状伸長体に結び付けた後、操作体を操作して柱状体を回転させることにより、前記柱状体及び紐状伸長体に糸状体７を巻き付けた（図１１参照)。
更に、紐状伸長体の一端の係脱部材を固定部から取り外し、他端の係脱部材と嵌合した。
前記紐状伸長体を柱状体から引き抜くことにより、糸状体を巻いた伸長性を有する環状の髪止め具９を製造することができた（図１２参照）。
なお、前記髪止め具は手首に着けたり、鞄につけてアクセサリーとして用いることもできる。
【００２８】
実施例６
実施例５と同様の髪止め具の製造装置と、両端に係脱部材を設けた複数の紐状伸長体と、色が異なる糸状体を巻いた複数のボビンを組み合わせて髪止め具の製造装置セットを得た。
前記髪止め具の製造装置セットは、実施例５と同様の操作により種々の髪止め具を作製することができた。
【００２９】
実施例７（図１３乃至図１６参照）
縦方向に切り溝を設けて両端に固定部（孔）３を設けた柱状体２を、台座４上から横方向に立設した。
前記台座には、操作体５を設けてなり、操作体を動かすことにより柱状体が回転するよう構成してなる。
前記台座には、糸を巻いた着脱自在のボビン１０と、前記柱状体の回転と連動して柱状体の一端から他端に向けて移動可能な糸ガイド部材１１を設けてなる。
前記のようにして髪止め具の製造装置１を得た（図１３参照）
【００３０】
前記髪止め具の製造装置の固定部に、係脱部材６１を両端に設けた紐状伸長体６をセットした（図１４参照）。
次いで、糸状体の一端を紐状伸長体に結び付けた後、操作体を操作して柱状体を回転させることにより、前記柱状体及び紐状伸長体に糸状体７を巻き付けた（図１５参照)。
更に、紐状伸長体の一端の係脱部材を固定部から取り外し、他端の係脱部材と嵌合した。
前記紐状伸長体を柱状体から引き抜くことにより、糸状体を巻いた伸長性を有する環状の髪止め具９を製造することができた（図１６参照）。
なお、前記髪止め具は手首に着けたり、鞄につけてアクセサリーとして用いることもできる。
【００３１】
実施例８
実施例７と同様の髪止め具の製造装置と、両端に係脱部材を設けた複数の紐状伸長体と、色が異なる糸状体を巻いた複数のボビンを組み合わせて髪止め具の製造装置セットを得た。
前記髪止め具の製造装置セットは、実施例７と同様の操作により種々の髪止め具を作製することができた。
【符号の説明】
【００３２】
１  髪止め具の製造装置
２  柱状体
３  固定部
４  台座
５  操作体
６  紐状伸長体
６１  係脱部材
７  糸状体
８  止め具
９  髪止め具
１０  ボビン
１１  糸ガイド部材
【図１】
2012090910.tif 000003
【図２】
2012090910.tif 000004
【図３】
2012090910.tif 000005
【図４】
2012090910.tif 000006
【図５】
2012090910.tif 000007
【図６】
2012090910.tif 000008
【図７】
2012090910.tif 000009
【図８】
2012090910.tif 000010
【図９】
2012090910.tif 000011
【図１０】
2012090910.tif 000012
【図１１】
2012090910.tif 000013
【図１２】
2012090910.tif 000014
【図１３】
2012090910.tif 000015
【図１４】
2012090910.tif 000016
【図１５】
2012090910.tif 000017
【図１６】
2012090910.tif 000018